(57)【要約】【課題】  ダブルチューナー内蔵のデジタル放送受信装置において、選局の所要時間を従来より短縮する。【解決手段】  デジタル放送選局装置１００は、デジタル放送信号をそれぞれ受信して特定チャンネルを選局し、選局したチャンネルの映像及び音声データを含む番組データをそれぞれ提供する第１及び第２のチューナーと、前記第１及び第２のチューナーのうち一方を選択し、選択したチューナーから得られる番組データを提供する選択手段と、入力される選局指示に応じて、前記選択手段により前記第１及び第２のチューナーの一方を選択し、他方のチューナーが、前記一方のチューナーにて選局しているチャンネルに隣接するチャンネルを選局するよう制御する制御手段と、を具備することを特徴とするデジタル放送選局装置。【選択図】    図２
2008118219.tif 000002
【特許請求の範囲】
【請求項１】
デジタル放送信号をそれぞれ受信して特定チャンネルを選局し、選局したチャンネルの映像及び音声データを含む番組データをそれぞれ提供する第１及び第２のチューナーと、
前記第１及び第２のチューナーのうち一方を選択し、選択したチューナーから得られる番組データを提供する選択手段と、
入力される選局指示に応じて、前記選択手段により前記第１及び第２のチューナーの一方を選択し、他方のチューナーが、前記一方のチューナーにて選局しているチャンネルに隣接するチャンネルを選局するよう制御する制御手段と、
を具備することを特徴とするデジタル放送選局装置。
【請求項２】
前記制御手段は、前記選択手段により前記第１及び第２のチューナーの一方を選択した場合、他方のチューナーが、前記一方のチューナーにて選局しているチャンネルの上側のチャンネルを選局するよう制御することを特徴とする請求項１記載のデジタル放送選局装置。
【請求項３】
前記制御手段は、前記選択手段により前記第１及び第２のチューナーの一方を選択した場合、他方のチューナーが、前記一方のチューナーにて選局しているチャンネルの下側のチャンネルを選局するよう制御することを特徴とする請求項１記載のデジタル放送選局装置。
【請求項４】
前記第１または第２のチューナーにより選局し、前記選択手段により選択して、視聴された番組に関する過去の視聴頻度を記録し、視聴頻度ヒストグラムを作成する作成手段を更に具備し、
前記制御手段は、前記選択手段により前記第１及び第２のチューナーの一方を選択し、他方のチューナーが前記一方のチューナーが選局しているチャンネル以外のチャンネルを、前記作成手段により作成された視聴頻度ヒストグラムに基づいて、サイクリックに選局するように制御することを特徴とする請求項１記載のデジタル放送選局装置。
【請求項５】
前記選択手段により前記第１及び第２のチューナーの一方を選択した場合、他方のチューナーが、前記一方のチューナーにて選局しているチャンネルの上側のチャンネルを選局するか、下側のチャンネルを選局するか、または前記一方のチューナーが選局しているチャンネル以外のチャンネルを、前記作成手段により作成された視聴頻度ヒストグラムに基づいて、サイクリックに選局するかを設定する設定手段１９を更に具備することを特徴とする請求項４記載のデジタル放送選局装置。
【請求項６】
前記作成手段は、前記視聴された番組のチャンネル番号を記録し、チャンネルの視聴頻度ヒストグラムを作成することを特徴とする請求項４記載のデジタル放送選局装置。
【請求項７】
前記作成手段は、前記視聴された番組のジャンルを記録し、ジャンルの視聴頻度ヒストグラムを作成することを特徴とする請求項４記載のデジタル放送選局装置。
【請求項８】
前記作成手段は、前記視聴された番組の出演者を記録し、出演者の視聴頻度ヒストグラムを作成することを特徴とする請求項４記載のデジタル放送選局装置。
【請求項９】
デジタル放送信号を受信して特定チャンネルを選局し、選局したチャンネルの映像及び音声データを含む番組データを提供する選局手段と、
前記選局手段から提供される前記番組データを伸長する伸長手段と、
前記伸長手段にて伸長された番組データに基づいて、映像を表示する表示手段とを具備し、
前記選局手段は、
デジタル放送信号をそれぞれ受信して特定チャンネルを選局し、選局したチャンネルの映像及び音声データを含む番組データをそれぞれ提供する第１及び第２のチューナーと、
前記第１及び第２のチューナーのうち一方を選択し、選択したチューナーから得られる番組データを提供する選択手段と、
入力される選局指示に応じて、前記選択手段により前記第１及び第２のチューナーの一方を選択し、他方のチューナーが、前記一方のチューナーにて選局しているチャンネルに隣接するチャンネルを選局するよう制御する制御手段と、
を具備することを特徴とするデジタル放送受信装置。
【請求項１０】
前記第１及び第２のチューナーのうち前記表示手段で表示されている番組のチャンネルを選局しているチューナーを表示側チューナーとし、前記表示手段７で表示されている番組のチャンネル以外のチャンネルを選局しているチューナーを非表示側チューナーとすると、前記制御手段は、前記非表示側チューナーに選局指示を与え、前記非表示側チューナーの選局が完了するまで、現在選局中であることを、前記表示側チューナーで選局し前記表示手段にて表示されている番組の映像内に表示することを特徴とする請求項９記載の特徴とするデジタル放送受信装置。
【請求項１１】
前記第１及び第２のチューナーのうち、前記表示手段７で表示されている番組のチャンネル以外のチャンネルを選局しているチューナーを非表示側チューナーとすると、前記制御手段は、一定時間以上継続して前記表示手段にて表示した番組から他の番組に切り換えた場合に、この切り換えてから所定時間の間は、切り換える前の元の番組を前記非表示側チューナーで選局することを特徴とする請求項９記載のデジタル放送受信装置。
【請求項１２】
デジタル放送信号を第１及び第２のチューナーによって受信し特定チャンネルをそれぞれ選局し、選局した各チャンネルの映像及び音声データを含む番組データを提供するステップと、
入力される選局指示に応じて、前記第１及び第２のチューナーのうち一方を選択し、選択したチューナーから得られる番組データを提供し、他方のチューナーが、前記一方のチューナーにて選局しているチャンネルに隣接するチャンネルを選局するよう制御するステップと、
を具備することを特徴とするデジタル放送選局方法。
【発明の詳細な説明】
【技術分野】
【０００１】
本発明はデジタル放送を受信するデジタル放送受信装置に関する。
【背景技術】
【０００２】
近年、テレビ放送のデジタル化が進み、ＢＳデジタル放送あるいは地上波デジタル放送等のデジタル放送を受信するテレビジョン受信機（ＴＶ）やＤＶＤレコーダが一般に普及し始めている。このようなデジタル放送ＴＶでは、ＨＤＤなどの録画部を備え、チューナーを２回路有するいわゆるダブルチューナー内蔵のものが製品化されている。ダブルチューナー内蔵ＴＶは、例えば地上波デジタル放送の１番組を録画しながら、同じ地上波デジタル放送の他の番組を視聴することができる。
【０００３】
デジタル放送ＴＶ等のデジタル放送受信装置において視聴する番組を選局する場合、選局ボタンを押してから、選局が完了するまでの所要時間は、従来のアナログ放送ＴＶに比べ、一般に遥かに長い。従って、ダブルチューナー内蔵ＴＶでは、一方のチューナーで番組を受信して視聴しているときに、他方のチューナーでユーザの過去の視聴頻度が高い番組を受信状態にしておけば、選局の際に受信状態の番組が選局される確率が高い。このようにして、総合的な選局所要時間を短縮することができる（特許文献１参照）。
【特許文献１】特開２００５−３５４２８３号公報（図４、請求項３）
【発明の開示】
【発明が解決しようとする課題】
【０００４】
しかし選局時にユーザが、過去に視聴頻度の高かった番組に切り換えるとは限らない。また、家族など複数ユーザがテレビを使用する場合に、誰の視聴頻度を参照すれば良いか不明である。従って従来は、デジタル放送の選局の所要時間を効果的に短縮することが困難であった。
【０００５】
本発明は、ダブルチューナー内蔵のデジタル放送受信装置において、選局の所要時間を従来より短縮することを目的とする。
【課題を解決するための手段】
【０００６】
本発明の一実施例に係るデジタル放送受信装置は、デジタル放送選局装置を具備し、該デジタル放送選局装置は、デジタル放送信号をそれぞれ受信して特定チャンネルを選局し、選局したチャンネルの映像及び音声データを含む番組データをそれぞれ提供する第１及び第２のチューナーと、前記第１及び第２のチューナーのうち一方を選択し、選択したチューナーから得られる番組データを提供する選択手段と、入力される選局指示に応じて、前記選択手段により前記第１及び第２のチューナーの一方を選択し、他方のチューナーが、前記一方のチューナーにて選局しているチャンネルに隣接するチャンネルを選局するよう制御する制御手段とを具備する。
【発明の効果】
【０００７】
ダブルチューナー内蔵のデジタル放送受信機において、選局の所要時間を従来より短縮することができる。
【発明を実施するための最良の形態】
【０００８】
以下、図面を参照して本発明の実施例を詳細に説明する。
【０００９】
図１は本発明が適用されるデジタル受信機の構成例としてＴＶ１００の構成を示すブロック図である。
【００１０】
このＴＶ１００は、選局回路８、ＭＰＥＧ圧縮／伸長回路９、グラフィック処理部１０、ネットワークインターフェース（Ｉ／Ｆ）１１、操作部１２、ＨＤＤ１３、制御部１４、メモリ１５、出力制御回路１６、表示部１７、スピーカ１８を備えている。
【００１１】
選局回路８は本発明に係るデジタル放送選局装置の一実施例であって、２つのチューナー８ａ、８ｂを含み、各チューナーにはアンテナで受信された放送信号が入力される。この放送信号には、各番組のコンテンツつまり番組データに相当する映像信号及び音声信号が含まれており、さらにこれら映像信号及び音声信号には、番組のジャンル、出演者等が記述される電子番組表作成のためのＥＰＧ情報（以下番組情報という）が多重されている。
【００１２】
各チューナー８ａ、８ｂはチャンネルの選局を行い、入力放送信号から特定の番組データを受信する。操作部１２から入力される選局指示に基づいて、２つのチューナー８ａ、８ｂのうち一方のチューナーにより選局されたチャンネルの番組データは圧縮／伸長回路９によって伸長（デコード）される。出力制御回路１６は、圧縮／伸長回路９によって伸長された映像データを、表示部１７の映像表示に適した映像信号に変換する。表示部１７は出力制御回路１６から提供される映像信号に基づいて映像を表示する。
【００１３】
グラフィック処理部１０は、電子番組表や各種設定画面を表示部１７にＯＳＤ表示させる際の表示データを提供する。グラフィック処理部１０により提供された表示データは、圧縮／伸長回路９によって伸長された映像データと合成され、出力制御回路１６を介して表示部１７により表示される。また、圧縮／伸長回路９によって伸長された音声データは、出力制御回路１６によりアナログ音声信号に変換され、スピーカ１８により出力される。
【００１４】
デジタル放送の番組をＨＤＤ１３に録画する場合、選局回路８により得られる番組データは、ＨＤＤ１３に適したデータ形式に変換されて録画される。また、アナログ放送の番組をＨＤＤ１３に録画する場合、選局回路８により得られるアナログ放送信号は、Ａ／Ｄ変換され、圧縮／伸長回路９により圧縮されて録画される。
【００１５】
メモリ１５は各種制御プログラムを格納するＲＯＭ及び制御部１４の作業エリアとして使用されるＲＡＭを含む。ネットワークインターフェース１１は、Ｅｔｈｅｒｎｅｔ（登録商標）などの高速データ通信可能な通信ネットワークへのインターフェースを実現する。
【００１６】
リモートコントローラ（以下リモコンという）１９は、ユーザからの各種指示を受けつけるための様々なキーが設けられている。操作部１２には各種操作ボタンの他にリモコン１９から、各種のユーザ指示を受信するための受信部１２ａが設けられている。チャンネルアップキー１９ａは受信チャンネルのチャンネル番号を１つ上げる（大きくする）ために使用され、チャンネルダウンキー１９ｂは受信チャンネルのチャンネル番号を１つ下げる（小さくする）ために使用されるキーである。ダイレクトチャンネルボタン１９ｃは複数のボタンから構成され、チャンネルを直接選局するために使用されるボタンである。チャンネルアップキー１９ａ、チャンネルダウンキー１９ｂ、ダイレクトチャンネルボタン１９ｃを総称して選局ボタンという。
【００１７】
［第１実施例］
図２は本発明によるデジタル放送選局装置としての選局回路８の第１実施例の概略構成を示すブロック図である。
【００１８】
チューナー８ａ、チューナー８ｂは前述したように、アンテナから入力したデジタルテレビジョン放送信号をそれぞれ受信して復調する。復調された映像信号と音声信号は選択部２１で選択され、映像表示部１７とスピーカー１８に出力される。制御部１４はユーザの指示を受けて、チューナー８ａ、８ｂの選局と選択部２１の選択動作を制御する。
【００１９】
以下の説明において表示側チューナーとは、チューナー８ａ、８ｂのうち表示部７で表示されている番組のチャンネルを選局しているチューナーを示す。また非表示側チューナーとは、チューナー８ａ、８ｂのうち、表示部７で表示されている番組のチャンネル以外のチャンネルを選局しているチューナーを示す。
【００２０】
図３は第１実施例における各チューナーの選局の様子を表す図であり、表示側チューナーが選局しているチャンネルのチャンネル番号に対して非表示側チューナーが選局するチャンネルのチャンネル番号を示している。このように、第１実施例では、非表示側チューナーは、表示側チューナーが選局しているチャンネルよりアップ側のチャンネルを常に選局する。例えば表示側チューナーが１Ｃｈを選局しているとき、非表示側チューナーは３Ｃｈを選局し、表示側チューナーが３Ｃｈを選局しているとき、非表示側チューナーは４Ｃｈを選局する。
【００２１】
図４は第１実施例の動作を示すフローチャートである。この動作は制御部１４の制御の下に実行される。
【００２２】
リモコン１９の選局ボタンが押されると、選局されたチャンネルが現在非表示側チューナで選局中のチャンネルかどうかを判断する（Ｓ１０１、Ｓ１０２）。非表示側チューナーで選局中のチャンネルの場合（Ｓ１０２のＹｅｓ）、非表示側チューナーの出力を表示する（Ｓ１０３）。すなわち、非表示側チューナが表示側チューナに切り替わる。そして、新たに非表示側となったチューナーはリモコン１９で選局されたチャンネルの1つ上側のチャンネルを選局する。
【００２３】
非表示側チューナーで選局中のチャンネルでない場合（Ｓ１０２のＮｏ）、非表示側チューナーはリモコン１９ボタンでユーザが選択したチャンネルの選局を開始する（Ｓ１０４）。そして、非表示側チューナーの選局動作が完了すると（Ｓ１０６のＹｅｓ）、非表示側チューナーの出力を表示する。すなわち、非表示側チューナが表示側チューナに切り替わる。そして、新たに非表示側となったチューナーはリモコン１９で選局されたチャンネルの1つ上側のチャンネルを選局する（Ｓ１０３）。尚、非表示側チューナの選局中、リモコン１９の選局ボタンが押されると（Ｓ１０５のＹｅｓ）、フローはステップＳ１０２に戻る。
【００２４】
［変形例］
次に上記第１実施例の変形例を説明する。図５はこの変形例に係る各チューナーの選局の様子を表す図である。
【００２５】
このように、第１実施例の変形例では、非表示側チューナーは、表示側チューナーが選局しているチャンネルよりダウン側のチャンネルを常に選局する。例えば表示側チューナーが１Ｃｈを選局しているとき、非表示側チューナーは１２Ｃｈを選局し、表示側チューナーが３Ｃｈを選局しているとき、非表示側チューナーは１Ｃｈを選局する。
【００２６】
図６はこの変形例による動作を示すフローチャートである。この動作は制御部１４の制御の下に実行される。
【００２７】
リモコン１９の選局ボタンが押されると（Ｓ２０１のＹｅｓ）、選局されたチャンネルが現在非表示側チューナで選局中のチャンネルかどうかを判断する（Ｓ２０２）。非表示側チューナーで選局中のチャンネルの場合（Ｓ２０２のＹｅｓ）、非表示側チューナーの出力を表示する（Ｓ２０３）。すなわち、非表示側チューナが表示側チューナに切り替わる。そして、新たに非表示側となったチューナーはリモコン１９で選局されたチャンネルの１つ下側のチャンネルを選局する。
【００２８】
非表示側チューナーで選局中のチャンネルでない場合（Ｓ２０２のＮｏ）、非表示側チューナーはリモコンボタンでユーザが選択したチャンネルの選局を開始する（Ｓ２０４）。そして、非表示側チューナーの選局動作が完了すると非表示側チューナーの出力を表示する（Ｓ２０３）。すなわち、非表示側チューナが表示側チューナに切り替わる。そして、新たに非表示側となったチューナーはリモコン１９で選局されたチャンネルの1つ下側のチャンネルを選局する。尚、非表示側チューナの選局中、リモコン１９の選局ボタンが押されると（Ｓ２０４のＹｅｓ）、フローはステップＳ２０２に戻る。
【００２９】
尚、図３、図５の選局切り替え動作において、選局後のチャンネルを正常に受信して切り替え可能になるまでは、画面に”選局動作中”などの表示を出すようにしても良い。
【００３０】
また、非表示側のチューナーの選局を図３のように表示側チューナーのアップ側チャンネルとするか、図５のように表示側チューナーのダウン側チャネルとするかをユーザが選択できるようにしても良い。
【００３１】
［効果］
以上のように第１実施例では、現表示チャンネルの次チャンネル（アップ側チャンネル）、変形例では現表示チャンネルの前チャンネル（ダウン側チャンネル）を非表示側のチューナーで選局して受信しておくようにした。
【００３２】
ユーザがリモコン１９を用いて表示チャンネルを次々と切り換え、番組内容を確認していく操作はザッピングと呼ばれる。ザッピングではチャンネルをリモコン１９のアップ／ダウンキー１９ａ、１９ｂを使用して、アップ側ならばアップ側のみ、ダウン側ならばダウン側のみに連続して切り換えていくことが多い。
【００３３】
本実施例では非表示側チューナーで予め表示側チューナーが選局しているチャンネルのアップ側チャンネルまたはダウン側チャンネルを選局して受信するように制御しているので、ザッピングなどのように連続してチャンネルを切り換えていく場合に、正常な画面及び音声を出力するまでの時間を短縮できる。
【００３４】
また、非表示側チューナーでの選局が完了し、表示切り替えができるようになるまで、選局動作中であることを画面に表示をすることで、ユーザはリモコン操作が受け付けられたことはわかるので、待ち時間のストレスが少なくなる。
【００３５】
［第２実施例］
図７は本発明によるデジタル放送選局装置としての選局回路８の第２実施例の概略構成を示すブロック図である。
【００３６】
視聴頻度計測部２２は選択部２１の出力信号、すなわちユーザが選択した番組の放送信号から、チャンネル番号情報を抽出して記憶し、チャンネル毎の視聴頻度ヒストグラムを作成する。そして、その視聴頻度ヒストグラムを視聴予測部２３に送る。視聴予測部２３は、視聴頻度ヒストグラムと選択部２１が現在選択しているチャンネルのチャンネル番号から、現在表示されていない各チャンネルの視聴頻度の割合を算出して制御部１４に送る。
【００３７】
制御部１４は視聴予測部２３からの視聴割合に応じて非表示側チューナーの選局動作を制御する。より詳しくは、視聴割合に応じた比率の選局時間の間、非表示側チューナーで残りの各局をサイクリックに選曲する。
【００３８】
図８は図７の第２実施例の動作を示すフローチャートである。この動作は制御部１４の制御の下に実行される。
【００３９】
リモコン１９の選局ボタンが押されると（Ｓ３０１のＹｅｓ）、選局されたチャンネルが現在非表示側チューナで選局中のチャンネルかどうかを判断する（Ｓ３０２）。
【００４０】
非表示側チューナーで選局中のチャンネルの場合（Ｓ３０２のＹｅｓ）、非表示側チューナーの出力を表示する（Ｓ３０３）。すなわち、非表示側チューナが表示側チューナに切り替わる。そして、新たに非表示側となったチューナーは視聴予測部２３より出力される視聴割合に応じた時間で、残りの各チャンネルをサイクリックに選局する。視聴頻度計測部２２は、ユーザが選択したチャンネルの視聴頻度データに１回分の視聴頻度に相当する数値である「１」を加算する。
【００４１】
非表示側チューナーで選局中のチャンネルでない場合（Ｓ３０２のＮｏ）、非表示側チューナーはリモコンボタンでユーザが選択したチャンネルの選局を開始する（Ｓ３０４）。そして、非表示側チューナーの選局動作が完了すると（Ｓ３０５のＹｅｓ）、非表示側チューナーの出力を表示する（Ｓ３０３）。すなわち、非表示側チューナが表示側チューナに切り替わる。そして、新たに非表示側となったチューナーは視聴予測部２３より出力される視聴割合に応じた時間で、残りの各チャンネルをサイクリックに選局する。視聴頻度計測部２２はユーザが選択したチャンネルの視聴頻度データに１回分の視聴頻度に相当する数値である「１」を加算する。尚、非表示側チューナの選局中、リモコン１９の選局ボタンが押されると（Ｓ３０６のＹｅｓ）、フローはステップＳ３０２に戻る。
【００４２】
次に、非表示側チューナの選局動作を説明する。図９は第２実施例での非表示側チューナーの選局割り当て時間の一例を示す。
【００４３】
最初にチューナー８ａが選択部２１で選択されており、表示側チューナーであるとする。ユーザがリモコン１９で例えばＣｈ４を選局すると、制御部１４はチューナー８ａを制御してＣｈ４を受信させる。チューナー８ｂは過去の視聴頻度に応じて、図９のようにＣｈ１、Ｃｈ３、Ｃｈ６、Ｃｈ８、Ｃｈ１０、Ｃｈ１２をサイクリックに受信する。この例ではＣｈ８の視聴頻度が高く、Ｃｈ３の視聴頻度が低い場合の例である。
【００４４】
チューナー８ｂが非表示チャンネルをサイクリックに受信中に、ユーザがＣｈ８を選局すると、チューナー８ｂがＣｈ８を受信中であれば、制御部１４は選択部２１をチューナー８ｂ側に切り換えるとともに、チューナー８ａを制御してＣｈ８以外の各局の視聴頻度に応じた時間の間、チューナ８ａで非表示側の各局をサイクリックに選局させる。
【００４５】
また、チューナー８ｂがＣｈ８以外を受信中のとき、制御部１４はチューナー８ｂにＣｈ８を受信させるように制御する。チューナー８ｂがＣｈ８を正常に受信出来るようになると、制御部１４は選択部２１をチューナー８ｂ側に切り換えるとともに、チューナー８ａを制御してＣｈ８以外の各局の視聴頻度に応じた時間の間、非表示側の各局をサイクリックに選局させる。
【００４６】
［変形例］
図１０は非表示側チューナーの選局割り当て時間の他の一例を示す。
【００４７】
図９では各チャンネルの視聴頻度の高さに応じて、チャンネルの選局割り当て時間を設定していた。図１０では各チャンネルの選局時間を等しくして、視聴頻度の高さに応じてチャンネルの選局頻度が設定される。視聴頻度が高いチャンネルほど、選局頻度が高くなる。
【００４８】
また上記例では、チャンネル毎すなわち放送局毎の視聴頻度を計測したが、ドラマ、音楽番組、クイズ番組、バラエティ、スポーツ番組などジャンル別に視聴頻度を計測しても良い。つまり、チャンネルによらず、前述した番組情報でドラマとして分類されている番組のユーザ視聴頻度、音楽番組として分類されている番組のユーザ視聴頻度等を記録しておく。ユーザが或る番組を視聴中、表示されていない各チャンネルの中に、例えば視聴頻度の高いジャンルの番組（例えばドラマ）を放送しているチャンネルがある場合、非表示側のチューナーでドラマを放送しているチャンネルを受信状態にしておく。
【００４９】
また、出演者毎の視聴頻度を計測しても良い。更には、視聴頻度を計測するジャンルや出演者などの項目をユーザがリモコン１９などから入力できるようにしても良い。また、１時間毎など一定時間毎に区切って、時間帯別の視聴頻度を計測するようにしても良い。
【００５０】
また更に、家族など複数のユーザでテレビを共用している場合に、ユーザ毎に視聴頻度を計測するようにしても良い。この場合、ユーザをあらかじめ登録しておき、視聴時にはリモコン１９のユーザ切り替えボタン（図示されず）で、どのユーザが視聴中かを指示するようにすればよい。リモコン１９に指紋認証などでユーザを識別する部を設けるようにしても良い。
【００５１】
また、非表示側のチューナーの選局が完了して正常に受信できる状態になったこと、又は選局中で正常に受信できる状態ではないこと、選局中のチャンネル番号、番組名を、ＬＥＤ表示またはＯＳＤ表示でユーザに通知するようにしても良い。ＯＳＤ表示の場合、表示側チューナーが選局し表示部１７に表示されている番組の映像中に、前記したような通知情報が表示される。
【００５２】
［効果］
上記第２実施例では、非表示側のチューナーで残りの各局を過去の視聴頻度に応じた時間割合で選局して受信しておくようにした。これによって、視聴頻度の高い番組を非表示側チューナーで選局している確率は高くなるので、番組を切り換えた場合の表示までの待ち時間は確率的に少なくなる。視聴頻度を時間帯別やユーザ毎に計測するようにすれば、より相応しい視聴頻度で非表示側のチューナーの選局が制御される。
【００５３】
ザッピングの際に、非表示側のチューナーの選局完了／選局中、選局しているチャンネル番号、番組名を、ＬＥＤ／ＯＳＤ表示でユーザに通知することで、非表示側チューナーが選局を完了する前に、ユーザは更に他のチャンネルを選局するためのリモコン操作をすることが可能となるのでるので、ストレスが少なくなる。更に、非表示側チューナのチャンネル選局順を表示するようにすれば、ユーザは希望チャンネルまでどの程度待つ必要があるかがわかるので、待ち時間のストレスが軽減する。
【００５４】
次に、前述の視聴頻度ヒストグラムについて詳細に説明する。これは各時間帯における、
（１）チャンネルごとの視聴回数、
（２）ジャンル(音楽、スポーツ、ドラマ、クイズ、バラエティ、時代劇など)ごとの視聴回数、
（３）出演者ごとの視聴回数、
のいずれかを、集計したものである。
【００５５】
例えば、月曜日の８時００分から９時００分にかけて、過去に４Ｃｈを５０回視聴していて、その他のチャンネルは１０回以下しか視聴していないとすると、そのユーザが月曜日の８時台に４ｃｈを視聴する可能性は他のチャンネルの５倍以上となる。そこで、４Ｃｈ以外を視聴している場合に、非表示側で残りの各チャンネルをサイクリックに選局する際に、４ｃｈに５倍以上の時間を割り当てれば、そのユーザが次にチャンネルを切り替える際に待たせずにすむ確率が高くなる。なぜならば、そのユーザは４Ｃｈに切り替える可能性が高いからである。
【００５６】
図１１はチャンネルごとのヒストグラムを作成する動作を示すフローチャートである。この動作は制御部１４の制御の下に実行される。
【００５７】
リモコン１９が押されると（Ｓ４０１のＹｅｓ）、選択されたチャンネルを判断する（Ｓ４０２）。規定時間経過すると（Ｓ４０３のＹｅｓ）、曜日と時間帯を判断する（Ｓ４０５）。そして、その曜日と時間帯のそのチャンネルの視聴回数データに１を加算する（Ｓ４０６）。尚、規定時間経過する前に、リモコン１９の選局ボタンが押されると（Ｓ４０４のＹｅｓ）、フローはステップＳ４０２に戻る。
【００５８】
図１２はジャンルごとのヒストグラムを作成する動作を示すフローチャートである。この動作は制御部１４の制御の下に実行される。
【００５９】
リモコン１９が押されると（Ｓ５０１のＹｅｓ）、ジャンルを判断する（Ｓ５０２）。規定時間経過すると（Ｓ５０３のＹｅｓ）、曜日と時間帯を判断する（Ｓ５０５）。そして、その曜日と時間帯のそのジャンルの視聴回数データに１を加算する（Ｓ５０６）。尚、規定時間経過する前に、リモコン１９の選局ボタンが押されると（Ｓ５０４のＹｅｓ）、フローはステップＳ５０２に戻る。
【００６０】
図１３は出演者ごとのヒストグラム作成のフローチャートである。この動作は制御部１４の制御の下に実行される。
【００６１】
リモコン１９により、チャンネルが切り替えられ（Ｓ６０１）、規定時間が経過すると（Ｓ６０２のＹｅｓ）、番組情報から出演者の情報を抽出する（Ｓ６０３）。出演者の視聴回数データがあれば（Ｓ６０４のＹｅｓ）そのデータに１を加算し、無ければ（Ｓ６０２のＮｏ）、新規にデータを作成する（Ｓ６０６）。この処理を番組情報に記述された全出演者について繰り返し行う。
【００６２】
［第３実施例］
次に本発明の第３実施例を説明する。図１４は本発明の第３実施例を示すタイムチャートである。
【００６３】
第３実施例では、ユーザが一定時間以上継続して視聴した番組から他の番組に切り換えた場合に、最初のある一定時間は非表示側チューナーが、切り換える前の元の番組を受信し続ける。そして、一定時間以上継続して視聴していない番組から他の番組に切り換えた場合に、非表示側チューナーは次のチャンネルをすぐに受信する。この第３実施例は、表示している番組がコマーシャル映像になったとき、ユーザが番組を他のチャンネルに切換え、コマーシャルが終了したと思われるタイミングで、チャンネルを元の番組に戻す場合などに有効に作用する。
【００６４】
図１５は第３実施例の動作を示すフローチャートである。この動作は制御部１４の制御の下に実行される。
【００６５】
リモコン１９の選局ボタンが押されると（Ｓ７０１のＹｅｓ）、選局されたチャンネルが現在非表示側チューナで選局中のチャンネルかどうか判断する（Ｓ７０２）。非表示側チューナーで選局中のチャンネルの場合（Ｓ７０２のＹｅｓ）、非表示側チューナーの出力を表示する（Ｓ７０５）。すなわち、非表示側チューナが表示側チューナに切り替わる。そして、規定時間経過すると（Ｓ７０６のＹｅｓ）。新たに非表示側となったチューナーはリモコン１９で選局されたチャンネルの1つ上側のチャンネルを選局する。
【００６６】
非表示側チューナーで選局中のチャンネルではない場合（Ｓ７０２のＮｏ）、非表示側チューナーはリモコンボタンでユーザが選択したチャンネルの選局を開始する（Ｓ７０３）。そして、非表示側チューナーの選局動作が完了すると（Ｓ７０４のＹｅｓ）、非表示側チューナーの出力を表示する。すなわち、非表示側チューナが表示側チューナに切り替わる。そして、規定時間経過すると（Ｓ７０６のＹｅｓ）、新たに非表示側となったチューナーはリモコン１９で選局されたチャンネルの1つ上側のチャンネルを選局する（Ｓ７０８）。
【００６７】
規定時間経過する前に、リモコン１９の選局ボタンが押されると（Ｓ７０７のＹｅｓ）、フローはステップＳ７０２に戻る。このとき選局されるチャンネルは、非表示側チューナーが、非表示側となるする前（映像がコマーシャルに切り替わる前）に選局していたチャンネルである可能性が高い。従って、フローはステップＳ７０５に移行し、目的のチャンネルを短時間で表示することができる。
【００６８】
本フローチャートでは規定時間経過後に非表示側チューナーはリモコン１９で選局されたチャンネルの1つ上のチャンネルを選局するとしたが、リモコン１９で選局されたチャンネルの1つ下側のチャンネルを選局するようにしてもよいし、残りの各チャンネルを過去の視聴頻度に応じた割合の時間でサイクリックに選局する様にしてもよい。また、これらを押されたリモコンキーの種類に応じて切り替えるようにしても良い。
【００６９】
以下、図１４を用いて第３実施例の具体例を説明する。
【００７０】
最初にチューナー８ｂがＣｈ３を受信していて選択部２１で選択されてＣｈ３が表示されている。一方、チューナー８ａはＣｈ４を選局している。時刻ＴａでユーザがＣｈ４に切り換えると、選択部２１はチューナー８ａ側に切り換えられてチューナー８ａで受信中のＣｈ４を表示する。Ｃｈ３表示の継続時間が短かったので、チューナー８ｂはただちにＣｈ４のアップ側チャンネルであるＣｈ６の受信を開始する。
【００７１】
時刻ＴｂでユーザがＣｈ８に切り換えると、チューナー８ｂがＣｈ８を正常に受信できるようになった時点で選択部２１はチューナー８ｂ側に切り替わり、Ｃｈ８を表示する。チューナー８ａはＣｈ４の受信を継続する。
【００７２】
時刻ＴｃでユーザがＣｈ４に戻すと、選択部２１はただちにチューナー８ａを選択してＣｈ４を表示する。チューナー８ｂはただちにＣｈ４のアップ側チャンネルであるＣｈ６の受信を開始する。
【００７３】
時刻ＴｄでユーザがＣｈ８に切り換えると、チューナー８ｂがＣｈ８を正常に受信できるようになった時点で選択部２１はチューナー８ｂ側に切り替わり、Ｃｈ８を表示する。チューナー８ａはＣｈ４の受信を継続する。ユーザがＣｈ８の視聴を継続して時刻Ｔｅになると、チューナー８ａはＣｈ８のアップ側チャンネルであるＣｈ１０の受信を開始する。
【００７４】
［変形例］
第３実施例では非表示側チューナーが表示側チューナーのアップ側チャンネルを受信するようにしたが、表示側チューナーのダウン側チャンネルを受信するようにしても良い。また、非表示側チューナーは残りの各チャンネルを視聴頻度に応じた時間割合でサイクリックに受信するようにしても良い。更に、非表示側チャンネルの受信中のチャンネルをＬＥＤやＯＳＤで表示するようにしても良い。
【００７５】
［効果］
ユーザが視聴中の番組のコマーシャル時間中に他の番組を見ていてコマーシャルが終了しそうな時間に元の番組に戻すことが良くあるが、本実施例では、番組切り替え後の最初のある一定時間は切り換える前の元の番組を非表示側チューナーで継続して受信するようにしたので、元の番組に切り換えた場合の表示切り替えを高速に出来る。
【００７６】
そして、一定時間以上継続して視聴していない番組から他の番組に切り換えた場合に、非表示側チューナーは次のチャンネルをすぐに選局するようにしたので、いわゆるザッピングで次々とチャンネルを切り換えていく場合の表示切り替えの高速性は損なわれることが無い。
【００７７】
［第４実施例］
次に本発明の第４実施例を説明する。第４実施例では、ユーザの押したリモコンボタンのタイプに応じて非表示側チューナの選局動作を制御される。
【００７８】
チャンネルアップキー１９ａが押された場合、図３の第１実施例のように非表示側チューナがアップ側のチャンネルを選局しておくようにする。ザッピングの場合、ユーザは続けてアップキーを押す可能性が高いので、その場合の表示の切り替えを高速に出来る。
【００７９】
チャンネルダウンキーが押された場合、図５の第１実施例の変形例のように非表示側チューナはダウン側のチャンネルを選局しておくようにする。ザッピングの場合、ユーザは続けてダウンキーを押す可能性が高いので、その場合の表示の切り替えを高速に出来る。
【００８０】
選局ボタンが押された場合、図９、図１０の第２実施例のように残りの各局を過去の視聴頻度に応じた割合でサイクリックに選局しておくようにする。ユーザは次もランダムに選局ボタンを押す可能性が高いが、視聴頻度の高いチャンネルの選局時間が多ければ、非表示側チューナーで選局しているチャンネルが選択される確率が高くなるので、チャンネル切り替え時の表示の切り替えが高速に出来る。
【００８１】
図１６は第４実施例において、押された選局ボタンのタイプに応じて新たに非表示側となるチューナの選局動作を示すフローチャートである。この動作は制御部１４の制御の下に実行される。
【００８２】
リモコン１９のチャンネルアップボタン１９ａが押された場合（Ｓ８０１のＹｅｓ）、新たな非表示側チューナは選局されたチャンネルの１つ上側のチャンネルを選局する（Ｓ８０２）。リモコン１９のチャンネルダウンボタン１９ｂが押された場合（Ｓ８０３のＹｅｓ）、新たな非表示側チューナは選局されたチャンネルの１つ下側のチャンネルを選局する（Ｓ８０４）。リモコン１９のダイレクトチャンネルボタン１９ｃが押された場合、新たな非表示側チューナーは過去の視聴履歴に応じた割合の時間で残りの各チャンネルをサイクリックに選局する（Ｓ８０６）。
【００８３】
［効果］
本実施例では押された選局ボタンのタイプに応じて非表示側チューナの選局動作を制御する。従って、ユーザの意図に合致するチャンネルを非表示側チューナが選局する確率が高いので、チャンネル切り替え時の表示の切り替えが高速に出来る。
【００８４】
以上の説明はこの発明の実施の形態であって、この発明の装置及び方法を限定するものではなく、様々な変形例を容易に実施することができるものである。
【図面の簡単な説明】
【００８５】
【図１】本発明が適用されるデジタル受信機の構成例としてＴＶ１００の構成を示すブロック図である。
【図２】本発明によるデジタル放送選局装置としての選局回路８の第１実施例の概略構成を示すブロック図である。
【図３】第１実施例における各チューナーの選局の様子を表す図である。
【図４】第１実施例の動作を示すフローチャートである。
【図５】第１実施例の変形例に係る各チューナーの選局の様子を表す図である。
【図６】第１実施例の変形例による動作を示すフローチャートである。
【図７】本発明によるデジタル放送選局装置としての選局回路８の第２実施例の概略構成を示すブロック図である。
【図８】図７の第２実施例の動作を示すフローチャートである。
【図９】第２実施例での非表示側チューナーの選局割り当て時間の一例を示す。
【図１０】非表示側チューナーの選局割り当て時間の他の一例を示す。
【図１１】チャンネルごとのヒストグラムを作成する動作を示すフローチャートである。
【図１２】ジャンルごとのヒストグラムを作成する動作を示すフローチャートである。
【図１３】出演者ごとのヒストグラム作成のフローチャートである。
【図１４】本発明の第３実施例を示すタイムチャートである。
【図１５】第３実施例の動作を示すフローチャートである。
【図１６】第４実施例において、押された選局ボタンのタイプに応じて新たに非表示側となるチューナの選局動作を示すフローチャートである。
【符号の説明】
【００８６】
８…選局回路、９…圧縮／伸長回路圧縮／伸長回路、１０…グラフィック処理部、１１…ネットワークアダプタ、１２…操作部、１３…ハードディスクドライブ、１４…セントラルプロセッシングユニット、１５…メモリ、１６…出力制御回路、１７…表示部、１８…スピーカ、１９…リモコン。
【図１】
2008118219.tif 000003
【図２】
2008118219.tif 000004
【図３】
2008118219.tif 000005
【図４】
2008118219.tif 000006
【図５】
2008118219.tif 000007
【図６】
2008118219.tif 000008
【図７】
2008118219.tif 000009
【図８】
2008118219.tif 000010
【図９】
2008118219.tif 000011
【図１０】
2008118219.tif 000012
【図１１】
2008118219.tif 000013
【図１２】
2008118219.tif 000014
【図１３】
2008118219.tif 000015
【図１４】
2008118219.tif 000016
【図１５】
2008118219.tif 000017
【図１６】
2008118219.tif 000018